(57)【特許請求の範囲】
【請求項１】
ハウジングと、
グラフィック出力を生成するためにデータを処理するグラフィックプロセッサと、
固定された第１画面部分及び展開可能な第２の画面部分を含み、前記第２の画面部分が後退された第１の携帯表示構成と、前記第２の画面部分が展開された第２の拡張表示構成とに配置されるように調節可能な、前記ハウジング内に配置された表示装置と、
を備え、
前記第１の画面部分は、前記第１の携帯表示構成において、前記グラフィックプロセッサによって提供されるグラフィック出力の表示を行い、
前記第２の画面部分は、携帯通信デバイスが前記第１の携帯表示構成にある場合、非アクティブであり、第１の位置において前記ハウジングの内部に収容され、前記第１の画面部分と結合された表示画面を形成するために、前記第２の画面部分のエッジが直接、前記第１の画面部分のエッジに当接するように、前記第２の画面部分が前記第１の画面部分と同一平面上にある第２の位置に配置される前記第２の拡張表示構成に表示装置をもたらすように、前記ハウジングから展開可能であり、
前記グラフィックプロセッサは、前記第１の携帯表示構成において、前記第１の画面部分で表現に用いられるべき第１のフォーマットでグラフィック出力を提供し、前記第２の拡張表示構成において、結合表示画面にグラフィック出力を与えるために、前記第１の画面部分の第１の部分と前記第２の画面部分の第２の部分で表現に用いられるべき第２のフォーマットでグラフィック出力を提供するように構成されていることを特徴とする携帯通信デバイス。
【請求項２】
さらに、完全に展開された場合、前記第１の画面部分と同一平面内に前記第２の画面部分を移動させるように構成されるスプリング機構を含むことを特徴とする請求項１に記載の携帯通信デバイス。
【請求項３】
前記第１の位置にあるとき、前記第２の画面部分が、前記ハウジング内の前記第１の画面部分の下に収容されることを特徴とする請求項１に記載の携帯通信デバイス。
【請求項４】
さらに、前記第１の位置から前記第２の位置に、前記第２の画面部分の展開を開始するためにユーザによって係合されるアクチュエータをさらに含むことを特徴とする請求項１に記載の携帯通信デバイス。
【請求項５】
さらに、前記第1の位置から前記第２の位置への前記第２の画面部分の展開を容易にする、第２の画面部分に取り付けられた、少なくとも1つのトラックを含むことを特徴とする請求項１に記載の携帯通信デバイス。
【請求項６】
前記グラフィックプロセッサは、第２の拡張表示構成における結合表示画面におけるグラフィック出力の提示のためにグラフィック出力を回転させ、グラフィック出力の分解能を増加させるように構成されることを特徴とする請求項１に記載の携帯通信デバイス。
【請求項７】
さらに、前記第２の位置に前記第２の画面部分を展開し、前記携帯通信デバイスを前記第２の拡張表示構成にもたらすため、前記ハウジングの第１の位置からの前記第２の画面部分の展開時のグリップを可能とする、ハウジングのエッジに配置され、前記第２の画面部分に結合された保護エッジ部分を含むことを特徴とする請求項１に記載の携帯通信デバイス。
【請求項８】
前記保護エッジ部分は、前記ハウジングと同じ材料で構成され、前記携帯通信デバイスが前記第１の携帯表示構成にあるときに、前記ハウジングのエッジ部分を形成することを特徴とする請求項７に記載の携帯通信デバイス。
【請求項９】
さらに、前記ハウジングからエッジ部分を取り出し、第１の位置から第２の位置への前記第２の画面部分の展開を開始するために、ユーザによって係合されるアクチュエータを含むことを特徴とする請求項８に記載の携帯通信デバイス。
【請求項１０】
前記携帯通信デバイスは、携帯電話通信デバイスを備え、さらに、無線電話信号を送受信するように構成された通信インタフェースを備えることを特徴とする請求項１に記載の携帯通信デバイス。
【請求項１１】
さらに、前記携帯通信デバイスが前記第１の携帯表示構成である場合、非アクティブとされ、第１の位置において前記ハウジングの内部に収容され、前記第２の画面部分が展開可能である方向とは反対の方向に、第２の拡張表示構成に前記表示装置をもたらすために前記ハウジングから展開可能であり、前記第１の画面部分と同一平面である第２の位置に移動可能とされるように構成され、前記第２の表示部分が展開された場合、前記第１と第２の表示画面部分との結合表示画面を形成するために、エッジが、前記第２の画面部分のエッジと当接する前記第１の画面部分のエッジと反対側の前記第１の画面部分の第２のエッジと当接する第３の画面部分を備え、
前記グラフィックプロセッサは、第１の携帯表示構成において、第１の画面部分で表現に用いられるべき第１のフォーマットでグラフィック出力を提示し、前記第２の拡張表示構成において、前記結合表示画面に前記グラフィック出力を提示するために、前記第１の画面部分の第１の部分、前記第２の画面部分の第２の部分、前記第３の画面部分の第３の部分において表現に用いられるべき第２のフォーマットで前記グラフィック出力を提供するように構成されていることを特徴とする請求項１に記載の携帯通信デバイス。
【請求項１２】
ハウジングと、
グラフィック出力を生成するためにデータを処理するグラフィックプロセッサと、
前記ハウジングに結合され、かつ、第１の画面部分と第２の画面部分を含み、第１の携帯表示構成と第２の拡張表示構成に配置することが調節可能である表示装置と、
を備え、
前記第１の画面部分の第１の平面表示画面が、前記第２の画面部分の平面表示画面に向かって、内側に面し、前記第１の画面部分の第２の平面表示画面が外側に面するように、前記第１の画面部分が前記第２の画面部分の上に折り畳まれる前記第１の携帯表示構成の第１の位置に前記第１の画面部分が配置されるように構成され、前記第２の平面表示画面は、前記表示装置が、前記第１の携帯表示構成にあるとき、前記グラフィックプロセッサからの第１のグラフィック出力を提示し、前記第１の画面部分の前記第１の平面表示画面と、前記第２の画面部分の前記平面表示画面は、前記表示装置が前記第１の携帯表示構成にあるとき、非アクティブであり、
前記第１の画面部分は、さらに、前記第１の画面部分が、前記第１の画面部分のエッジに結合あるいは直接当接する前記第２の画面部分のエッジを含む軸に沿って、前記第１の携帯表示構成の位置から展開されて、前記第２の拡張表示構成を提供するように構成され、前記第２の拡張表示構成においては、前記第１の平面表示画面が、前記第２の画面部分の前記平面表示画面と同一の方向に面し、前記グラフィックプロセッサからの第２のグラフィック出力を提示する、単一の表示画面を形成するように、前記第１の画面部分は、前記第２の画面部分に隣接し、同一平面となり、
前記第１の画面部分は、前記第１の画面部分の前記第１及び第２の平面表示画面の両方で見る事ができる表示を提供する単一の表示装置を含み、
さらに前記通信デバイスが前記第１の携帯表示構成にあるときに、前記第１の画面部分によって第１の方向で表示されるべき、前記通信デバイスの前記グラフィックプロセッサからの前記第１のグラフィック出力を表示し、
前記通信デバイスが前記第２の拡張表示構成にあると検出されたとき、前記第２の拡張表示構成において、前記第２のグラフィック出力の前記第１の平面画面に表示させる部分を正しく表示するための第２の方向を提供するために、前記第１の画面部分の前記第１の方向を反転させる
ことを特徴とする携帯通信デバイス。
【請求項１３】
通信デバイス上のグラフィック出力を表示するための方法であって、
通信デバイスが第１の表示構成に配置されたことを検出し、前記通信デバイスの第１の画面部分は、前記通信デバイスの第２の画面部分上に折り畳まれており、
前記第１の画面部分の第１の表面に、前記通信デバイスのグラフィックプロセッサから第１のグラフィック出力を表示し、
前記通信デバイスが、第２の表示構成に配置されていることを検出し、前記第１の画面部分は、前記第１の表面に対向する前記第1の画面部分の第２の表面が、前記第２の画面部分の表面と同一平面で、同一方向に面しており、前記第１の画面部分の前記第２の表面と、前記第２の画面部分の前記表面とが、単一の結合された表示画面を形成し、
前記第１の画面部分の前記第２の表面に第２のグラフィック出力の第１の部分を表示し前記第２のグラフィック出力が、全体として単一の結合された表示画面上に表示されるように、前記第２の画面部分の前記表面に前記第２のグラフィック出力の第２の部分を表示し、
前記第１の画面部分は、前記第１の画面部分の前記第１及び第２の表面の両方で見る事ができる表示を提供する単一の表示装置を含み、さらに前記通信デバイスが前記第１の表示構成にあるときに、前記第１の画面部分によって第１の方向で表示されるべき、前記通信デバイスの前記グラフィックプロセッサからの前記第１のグラフィック出力を表示し、
前記通信デバイスが前記第２の表示構成にあると検出されたとき、前記第２の表示構成において、前記第２のグラフィック出力の前記第１の部分を正しく表示するための第２の方向を提供するために、前記第１の画面部分の前記第１の方向を反転させる、
ことを特徴とする方法。 
【発明の詳細な説明】
【技術分野】
【０００１】
関連出願の相互参照
本出願は、その全体が参考として援用される2011年5月3日に出願された仮特許出願第61/482 138の米国の35 USC119（e）の下での利益を主張する。
【背景技術】
【０００２】
簡単な概要 
電子ディスプレイ技術は、数十年前の開発初期から大幅に進化してきた。陰極線管は、主にプラズマディスプレイ、液晶ディスプレイ（LCD）、および発光ダイオード（LED）に基づいたディスプレイがより一般的になるに従い古いものとなっている。これらの新しい技術は、ますます薄くて軽いディスプレイを可能にし、依然高品質、高解像度のディスプレイを提供する、ますますポータブルなデバイスの創出が可能になっている。
【０００３】
使用されるディスプレイ技術にもかかわらず、より大きな、より高い解像度の画面を提供することと、デバイスをよりポータブルに作ることとの間に携帯用電子機器の設計における緊張がある。例としては、Apple（登録商標）のIPAD（登録商標）などのタブレットコンピューティングデバイスは、ラップトップ、あるいは、ネットブックなどよりもずっと携帯性のある装置であって、比較的大きく、高解像度のスクリーンと相まって大幅なコンピューティングパワーを提供するので、高い需要がある。タブレットサイズのポータブルコンピューティングデバイスは、様々な便利さと利点を提供するが、それらは、まだ合理的にポケットやホルスターで運ばれるにはあまりにもかさばる。彼または彼女は、日常業務における標準スマートフォンより大きい通信デバイスを運ぶことを望んでいるなら、一般的にキャリーバッグを必要とする。これは、既に一般的にタブレットデバイスを収納しておくために十分な大きさのハンドバックを持つ女性には問題にならないだろう。しかし、アメリカ社会は、彼がどこへ行っても簡単に彼と一緒に持っていくためにタブレットサイズのデバイスを積み込む、略称"murse、"や、ジェリー・サインフェルドがそれを"ヨーロッパのキャリーオール" と-呼ぶすような、男性用ハンドバックを男性が持つことを社会的に許容可能である点にまで進化（または1 つの視点では、譲歩）していない。男性は、彼の男らしさに深刻な打撃を与えることなく、いくつかの状況において、バックパックやブリーフケースを運ぶことができるが、そのような持参は、様々な日常のシナリオへの適用に制限されている。例えば、男性は、夕食時に、映画を見るとき、デート時、友達と一緒に町に出るときなどに、携帯通信機器を持ちたいと思うだろう。したがって、女性は容易に、いつでもどこでも彼女が好きにアクセスするために、彼女のハンドバックの中に運ぶことができるアイテムのリストにスマートフォンよりも大きな画面との通信装置を追加することがありながら、男性は現在、様々な一般的な状況において、タブレットを運ぶための、わずかな、あるいは、まったく社会的に受け入れられない、おかしくないオプションしか持たない。この携帯性の不平等は、通信デバイスの画面サイズと、その携帯性の間の矛盾の一例に過ぎない。 
【発明の概要】
【０００４】
ここに説明するのは、携帯通信デバイスにおける拡張可能なスクリーンを提供するための装置やメカニズムである。ここでの説明によると、携帯通信デバイスには、拡張された視野表示面を提供するように一部が展開されたり、あるいは、縮小表示モードと増大された携帯性を提供するために一部が後退することができるマルチパートスクリーンを設けることができる。縮小表示モードでは、グラフィック表示は、最初、通信装置の携帯モードを提供するために、１以上の他のスクリーン部分が後退され、及び／あるいは、見られないようにされて、マルチパートディスプレイスクリーンの可視部分にグラフィック表示が
提供されるだろう。拡張された表示モードでは、１以上の他のスクリーンの部分は、表示サイズと解像度を高めるために、展開され、及び／あるいは、マルチパートディスプレイの第１の部分と、同一面に持ってこられるだろう。
【図面の簡単な説明】
【０００５】
【図１Ａ】1つ以上の実施形態による、拡張可能なディスプレイを有する通信デバイスを例示する図である。
【図１Ｂ】1つ以上の実施形態による、拡張可能なディスプレイを有する通信デバイスを例示する図である。
【図１Ｃ】1つ以上の実施形態による、拡張可能なディスプレイを有する通信デバイスを例示する図である。
【図１Ｄ】1つ以上の実施形態による、拡張可能なディスプレイを有する通信デバイスを例示する図である。
【図２Ａ】図１A〜図１Dの通信デバイスの斜視図である。
【図２Ｂ】図１A〜図１Dの通信デバイスの斜視図である。
【図２Ｃ】図１A〜図１Dの通信デバイスの斜視図である。
【図３】１以上の実施形態による、三つの画面部分を備える拡張可能なディスプレイを備える通信デバイスを示す図である。
【図４Ａ】１以上の実施形態による、１以上のエッジセグメントを含む拡張可能ディスプレイを備える通信デバイスを示す図である。
【図４Ｂ】１以上の実施形態による、１以上のエッジセグメントを含む拡張可能ディスプレイを備える通信デバイスを示す図である。
【図４Ｃ】１以上の実施形態による、１以上のエッジセグメントを含む拡張可能ディスプレイを備える通信デバイスを示す図である。
【図５Ａ】1以上の実施形態による、折り畳み機構を利用した拡張可能なディスプレイを備える通信デバイスを示す図である。
【図５Ｂ】1以上の実施形態による、折り畳み機構を利用した拡張可能なディスプレイを備える通信デバイスを示す図である。
【図５Ｃ】1以上の実施形態による、折り畳み機構を利用した拡張可能なディスプレイを備える通信デバイスを示す図である。
【図５Ｄ】1以上の実施形態による、折り畳み機構を利用した拡張可能なディスプレイを備える通信デバイスを示す図である。
【図６Ａ】１以上の実施形態による、折り畳み機構を利用して拡張可能なディスプレイを備える通信デバイスを示す図である。
【図６Ｂ】１以上の実施形態による、折り畳み機構を利用して拡張可能なディスプレイを備える通信デバイスを示す図である。
【図６Ｃ】１以上の実施形態による、折り畳み機構を利用して拡張可能なディスプレイを備える通信デバイスを示す図である。
【図７Ａ】１以上の実施形態による、折り畳み機構を利用した、三つの画面部分を備える拡張可能なディスプレイを備える通信デバイスを示す図である。
【図７Ｂ】１以上の実施形態による、折り畳み機構を利用した、三つの画面部分を備える拡張可能なディスプレイを備える通信デバイスを示す図である。
【図８】１以上の実施形態による、携帯通信デバイスおよび対応するコンポーネントを示す図である。
【図９】１以上の実施形態による、通信デバイス上にグラフィク出力を表示するための方法のフローチャートを示す図である。
【発明を実施するための形態】
【０００６】
一実施形態では、携帯通信デバイスが提供される。携帯通信デバイスは、通信ネットワークを介して、通信を受信するための通信インタフェースを備える。デバイスはまた、着
信の通信を処理するための制御ロジック、および、デバイスのユーザからの入力を受け付ける入力インタフェースを含む。デバイスはさらに、グラフィックプロセッサ及び表示装置を含む。表示装置は、グラフィックプロセッサによって提供されるグラフィックデータの表示を提供する第１の画面部分を含む。表示装置はまた、前記デバイスが第１モードであるときには、デバイスのハウジング内に収容され、動作状態でない、第２の画面部分を含む。第２の画面部分は、ハウジングから展開され、第１の画面部分と同一平面上に位置させてもよい。このような位置において、第２の画面部分のエッジが第１の画面部分のエッジに直ちに隣接し、当接してもよい。この位置では、第２の画面部分が動作状態になる。第２の画面部分が完全に展開され、動作状態になると、グラフィックプロセッサは、第１および第２の画面部分に描写されるべきグラフィックデータを提供するように動作可能となる。少なくとも一つの実施形態では、第１および第２の画面部分からなるグラフィック表示領域は、単一のグラフィック表示を提供するためにプロセッサによって利用されることができる。
【０００７】
第２の実施形態では、携帯通信デバイスは、第１の画面部分と第２の画面部分を含むように設けられている。携帯通信デバイスは、第１の画面部分が、第１の画面部分の第１の平面が第２の画面部分の反対側に対向する平面に当接するように、第２の画面部分の上に折り畳まれ、第1の画面部分の第1の平面に対向する第１の画面部分の第２の平面のみが、通信デバイスのユーザに面し、かつ、直接に可視となるような第１の表示構成に配置されるだろう。このような第１の表示構成から、第１の画面部分の第1の平面と第２の画面部分の平面とが、同一平面上にあり、単一の表示面を形成する第２の表示構成に第１の画面部分は展開させられるように動作可能である。
【０００８】
本明細書に記載の様々な実施形態において、携帯通信デバイスは、携帯電話装置、タブレットデバイス、ポータブルゲーム機、ハンドヘルドコンピューティングデバイスなどを含むだろう。
【０００９】
図１Aは、少なくとも一つの実施形態に係る携帯通信デバイス１００を示す。図１Aの携帯通信デバイス１００は、図８に関連して以下に説明する、電子部品および回路を含む装置の様々な構成要素を収容するハウジング１０２を有する。ハウジング１０２は、ハウジング１０２の外向きの平面表示面を有する第１の画面部分１０４を収容する。ハウジング１０２はまた、図１Aで、デバイスの携帯モードを提供するための収納（後退）位置にあり、従って、ハウジング１０２の内部に配置された、第２の画面部分１０６を収容する。図１B及び図１C 等に関して後述するように、第２の画面部分１０６は、視聴画面、すなわち、通信デバイス１００の表示領域を拡張するためにハウジング１０２から展開（引き出）されてもよい。少なくとも一つの実施形態では、携帯通信デバイス１００は、ハウジング１０２から第２の画面部分１０６を引き出すために、携帯通信デバイス１００のユーザによって係合されるだろう、任意のアクチュエータ１０８を含む。一実施形態では、機械的に第２の画面部分１０６を部分的にハウジング１０２から引き出すように、ユーザによって、アクチュエータ１０８が押下されるか、または、別の方法で係合されても良い。第２の画面部分１０６が部分的に引き出されると、ハウジング１０２から第２の画面部分１０６を完全に引き出すために、ユーザは、第２の画面部分１０６の一部、あるいは、これらに取り付けられた、いくつかの部品をつかむことができる。
【００１０】
図１Bは、少なくとも一つの実施の形態に係る携帯通信デバイス１００を示す。図１Bでは、第２の画面部分１０６は、部分的にハウジング１０２から引き出されている。一実施形態では、ユーザは、第２の画面部分１０６の引き出しを開始するために、アクチュエータ１０８を係合してもよい。第２の画像部分１０６が部分的に、ユーザが第２の画面部分をつかむことができるほど十分に引き出されると、ユーザは、ハウジングからそれを引き出すために、緩やかに第２の画面部分１０６を引っ張るだろう。
【００１１】
少なくとも一つの実施形態では、第２の画面部分１０６の引き出しは、ハウジング内に配置されるだろうトラック及びベアリングシステムによって容易にすることができる。例えば、第２の画面部分１０６の裏面またはエッジに配置された１以上のトラックは、スクリーン部１０６の引き出しを導き、画面部分１０６がスムーズに摺動させ、滑らかに、最小限の労力でそれが引き出されることを容易にするように、ハウジング１０２内に配置された１以上のボールベアリングまたはローラを滑らせるだろう。
【００１２】
図１Cは、第２の画面部分１０６が完全に引き出された携帯通信デバイス１００を示している。少なくとも一つの実施形態では、完全に引き出されると、第２の画面部分１０６は、第１の画面部分１０４と同一平面上に配置される。図１Aおよび図１Bにおいて、第２の画面部分１０６は、第１の画面部分１０４の下にあり、第１ の画面部分１０４と同じ平面になく、第２の画面部分１０６が完全に引き出された位置に移動すると、図１Cに示した実施形態では、第２の画面部分１０６の内側エッジ（この図では、左端）は、第１の画面部分１０４のエッジ（この図では右端）を越えてわずかに移動することができ、第２の画面部分１０６は、第１の画面部分１０４と同一平面内に上向きに移動させることができる。この時点で、第２の画面部分１０６のエッジは、直接第１の画面部分１０４のエッジに当接するだろう。互いに直接当接する、同じ平面内の2つの画面部分によって、大型で、より大きな解像度を有する単一の画面を形成することができる。
【００１３】
例えば、ばね、または、上述したトラック及びベアリングシステムの一部などの１以上の基礎となる支持体、または、他の機械的装置は、第２の画面部分１０６が完全に引き出された後、第１の画面部分１０４と同一平面内への第２の画面部分１０６を容易に移動させることができる。一実施形態では、ハウジング１０２内のバネメカニズムは、第２の画面部分１０６の内側のエッジが第１の画面部分１０４からはずれた時点で、第２の画面部分１０６が第１の画面部分１０４の平面に押し込むように、第２の画面部分１０６に圧力をかけることができる。さらに、いくつかの実施形態において、例えば、引き出された位置において第２の画面部分１０６に対するサポートを提供し、所定の位置に保持する、上述したトラック構造を含む、１以上の構造が、第２の画面部分１０６の背面側及び／あるいはエッジに設けられるだろう。
【００１４】
表示画面部１０４及び/あるいは１０６は、利用可能な表示技術の様々なタイプから構成されてもよい。例えば、表示画面はバックライトまたはエッジライト式の液晶ディスプレイ（LCD）スクリーン、または、発光ダイオード（LED）に基づいた画面のいずれかで構成することができる。少なくとも一つの実施形態では、表示画面部分は、LED光源によってバックライト点灯および/またはエッジ点灯されたLCDスクリーンを備えてもよい。いくつかの実施形態では、プラズマスクリーン技術を利用することができる。少なくとも一つの実施形態では、有機発光ダイオード（OLED）ディスプレイ技術を利用することができる。OLEDは、画素を構成する電子構造が独自の光を提供するため、バックライト点灯するかしない可能性のある技術である。OLEDスクリーンは、以下に、より詳細に記載される。
【００１５】
図１Cに示すように、第２の表示画面部分１０６を完全に引き出されている、かつ/または、第１の表示画面部分１０４と同一平面内に "スナップ"されている場合、第１及び第２の表示画面部分１０４及び１０６は、単一の、結合された表示面を構成することができる。図１A及び図１Bの例示に示されたように、通信デバイス１００の携帯モードの第１の表示画面部分１０４に表示されていたグラフィック表示は、図１Cに示されるように、結合された表示画面上に展開または提示されるように調節することができる。第2の表示部分１０６が引き出されたときに提供される追加画面資源を利用するために、第２の表示画面部分１０６によって提供される追加の分解能を組み込むように利用可能な画面解像度を拡張することができる。例えば、第１の表示画面部分１０４の画面解像度が320×240であ
り、第２の表示画面部分１０６の画面解像度が同じである場合、第２の表示画面を展開したときは、合成表示面は、320×480のトータル分解能を提供することができる。
【００１６】
少なくとも一つの実施形態では、２つ以上の表示画面部分が結合された表示面が作成されたときは、グラフィック表示を回転させてもよい。図１A-１Cに示される例では、図１Cの結合された表示面上に提供されるグラフィック表示は、図１Aで提供されたグラフィク表示から、拡大及び90度回転の両方の処理をすることによって得られる。結合された表示面が提供する新しい画面解像度に関連して、提供されるグラフィック表示のための最適比率を提供するために、このような処理を行うことができる。しかし、いくつかの実施形態では、通信デバイスは、通信デバイスの物理的な回転位置あるいは配向に敏感であり、画像は、ユーザがデバイスを保持している位置に応じて、このように直立になるように回転させることができる。
【００１７】
図１Dは、通信デバイスのグラフィカルプロセッサが、第１及び第２の表示画面部分１０４及び１０６の結合された表示面に対して異なる機能を提供する、別の実施形態を示している。図１Dにおいて、図１Cに示されているように、結合された表示面に、拡張されたグラフィック表示を提供するのではなく、図１Dで表される例示的結合表示面で、第１の表示画面部分１０４上にグラフィック表示を提供し続け、一方、第２の表示画面部分１０６上に追加のグラフィカル要素の表示を提供する。この例では、追加のグラフィック表示は、進行中のビデオプレゼンテーションを制御するためのタッチインタフェースコントロールのセットを構成している。しかし、第１の表示部分１０４で同時に表示されるグラフィック表示と関係している、あるいは、とは無関係なグラフィック表示の実質的にあらゆるタイプを、第２の表示画面部分１０６内に提供することができる。
【００１８】
図１Dに示すように、少なくとも一つの実施形態では、１以上の表示画面部分は、モバイルデバイスに、タッチスクリーン機能を提供するために、タッチスクリーン面と結合させることができる。一実施形態では、表示画面部分１０６の表示層は、静電容量および/または電流変化検出技術を用いて、表示部分がタッチされたときに起こる容量や電流のわずかな変化を検出する、透明導電層と結合させることができる。タッチスクリーンディスプレイの他の実施形態では、非可聴音波または赤外光の光線の反射のような反射波の変化の検出を利用することができる。
【００１９】
図２Aは、図１Aに示される通信デバイス１００の第２の斜視図である。図２Aに示すように、通信デバイス１００は、ハウジング１０２を含む。ハウジング１０２は、通信デバイス１００内に含まれており、図８に関連して以下でより詳細に説明される電子部品を収容する。通信デバイス１００は、通信デバイス１００の一面に配置された第１の表示画面部分１０４を含む。デバイス１００は、また、後退位置にある第２の表示画面部分１０６を含み、第１の表示画面部分１０４の下で、ハウジング１０２内に収納されている。この構成では、すべてのグラフィック表示は、第１の表示画面部分１０４によって提供され、デバイスは、携帯性を最大にするように構成される。少なくとも一つの実施形態では、通信デバイス１００は、第２の表示画面部分１０６の引き出しを開始するために、ユーザによって係合されるだろう任意のアクチュエータ１０８を含むことができる。
【００２０】
ボタンのようなアクチュエータ１０８が、図１A-１C、２A、および様々な他の図面に示されているが、第２の表示画面部分１０６が、完全にまたは部分的に引き出されるか、またはユーザによって拡張可能になるように動作可能であるならば、実質的に任意のアクチュエータ、機械的なインタフェース要素、または電子的なインタフェース要素を設けてもよいことを理解すべきである。インタフェース要素は、通信デバイス１００上のどこにでも配置することができる。例えば、一例示的実施形態では、ハウジング１０２内の引き込まれた位置に第２の表示画面部分１０６をロックする第１の位置にスイッチをユーザによ
って配置することができる。スイッチは、ユーザによって係合され、ユーザが、完全に第２の表示画面部分１０６を引き出すことが可能となるように、第２の表示画面部分の一部を引き出す、第２の位置にスイッチを配置することができる。別の実施形態では、ユーザは、第２の表示画面部分１０６の取り外しおよび/または部分的または完全にハウジング１０２から引き出すことを発生させるために第１の表示画面部分１０４に表示された電子インタフェース要素と相互作用することができる。さらに別の実施形態では、アクチュエータ又は他の機械的または電子的ユーザインターフェース要素は、第２の表示画面部分１０６に取り付けられた部品を取り外すためにユーザによって操作されても良い。その部品は、完全に第２の表示画面部１０６を引き出すために、ユーザが押したり、引っ張ったり、さもなければ相互作用するものであってもよい。少なくとも一つの実施形態において、ユーザは、任意のアクチュエータやユーザインタフェース要素を係合することなく、第２の表示画面部分１０６を引き出してもよい。
【００２１】
図２Bは、第２の表示画面部分１０６が部分的に引き出された、通信デバイス１００を示している。少なくとも１つの実施形態では、上述したように、第２の表示画面部分１０６は、ユーザによるアクチュエータ１０８の作動に基づいて部分的に引き出されることができる。ユーザは、完全に引き出すために、第２の表示画面部分１０６のエッジをつかむことができる。少なくとも一つの実施形態では、表示画面部分１０６は、外縁部の少なくとも一部に沿って非画面エッジ部（図示せず）を有していてもよい。この部分は、プラスチック、金属、または他の材料からなり、ユーザが一部をつかみ、例えば、画面をにじませたり、滑りやすい、あるいは、耐久性の低い表面をつかむことなく、第２の表示画面部分１０６を引き出すことが可能である。上述したように、第２の表示画面部分１０６の下面又はエッジは、第２の表示画面部分が完全に引き出された位置に容易に滑るように、ハウジング１０２内に配置された対応するベアリング、及び/または、ローラ、とともに、１つ以上のトラックに結合されたり、されなかったりするだろう。代替的なメカニズム、例えば、第２の表示画面１０６の下面に対して直接に回転するローラまたはベアリングは、第２の表示画面部分１０６の円滑な引き出しを容易にすることができる。少なくとも一つの実施形態では、第２の表示画面部分１０６の引き出し性を高めるか、または、滑らかにするための機構がないだろう。
【００２２】
図２Cは、第２の表示画面部分１０６が完全に引き出されている、通信デバイス１００を示している。第２の表示画面部分１０６が完全に引き出したときには、このように大きく、単一のディスプレイスクリーンを提供するように、第１の表示画面部分１０４と同一平面に来るように、第２の表示画面部分１０６は垂直方向にシフトされ得る。上述したように、第２の表示画面部分１０６の、第１の表示画面部分１０４と同一平面内にあるようにし、そして、第２の表示画面部分のエッジが直接第１の表示画面部分のエッジに当接させるような移動は、様々なメカニズムによって容易にされるだろう。一例示的実施形態では、ハウジング１０２に結合されたバネまたはバネ状機構は、第２の画面部分が完全に引き出され、第２の表示部分の内側エッジが第１の表示画面部分１０４の下側から離れた場合に、エッジを押し上げるように、第２の表示画面部分１０６に上向きの力を与えるだろう。別の実施形態では、ユーザは、第１の表示画面部分１０４と同一平面内の場所に画面部分を "スナップ"するように、第２の表示画面部分１０６を上方に軽く押すことができる。
【００２３】
本明細書の他の箇所に記載し、図２Cに示されるように、予め第１の画面部分１０４上に提示されていたグラフィック表示は、第２の表示画面部分１０６が完全に引き出されると、第１及び第２の表示画面部分１０４の両方によって提供される結合表示画面上に表示するように拡大することができる。様々な実施形態では、結合された表示画面において、通信デバイス１００によって提供されるグラフィック表示の向きは、自動または手動で回転させることができる。少なくとも一つの実施形態では、グラフィック表示の回転が、ス
クリーン空間および寸法の利用の改善のために、および/または、スキューを減らす、または、排除するために実施され得る。いくつかの実施形態では、グラフィク表示は、ユーザに対するデバイス１００の物理的な向きに基づいて回転させることができる。
【００２４】
図３は、図１A−１Dおよび図２A−２Cに記載の通信デバイス１００といくつかの類似点を有する通信デバイス３００の実施形態を示す。図３の通信デバイス３００は、第１の表示画面部分３０４及び第２の表示画面部分３０６に加え、第３の表示画面部３０７を含んでいる。いくつかの実施形態では、第２の画面部分３０６及び第３の表示画面部分３０７は、上述した第２の表示画面部分１０６の性質の１つ以上を有しているだろう。第３の画面部分３０７は、後退モードでは、通信デバイス３００のハウジング３０２の内部に収容されるだろう。少なくとも1つの実施形態では、後退モード（図示せず）のとき、第３の画面部分３０７は、第２の画面部分３０６の下に配置され、次に、第１の画面部分３０４の下に配置されることができる。少なくとも一つの実施形態では、上記のようにハウジングから第３の画面部分３０７の引き出しを開始するための任意の第２のアクチュエータ（図３には示されていない）または他の任意の物理的または電子的ユーザインターフェース要素があってもよい。第２のアクチュエータは、第２の画面部分３０６上で動作する第１のアクチュエータ３０８に加えて設けることができる。少なくとも一つの実施形態では、単一のアクチュエータ３０８または他のユーザインターフェース要素は、第２の表示部分３０６と第３の表示部分３０７の両方が部分的または完全に引き出すように係合させるようにしてもよい。
【００２５】
アクチュエータまたは他のユーザインターフェース要素が、部分的に第３の表示部分３０７を引き出すためにユーザによって係合される実施形態において、ユーザは、完全に第３の画面部分３０７を引き出すために、第３の画面部分または、これに接続されている部材をつかむことができる。上述した通信デバイス１００と同様に、第３の画面部分３０７を完全に引き出した場合には、単一のディスプレイを提供するために、その画面部分３０７は第１の画面部分３０４および/または第２の画面部分３０６と同一平面とさせてもよい。図３に示すように、第１の画面部分３０４および/または第２の画面部分３０６に提供されたグラフィック表示は、第１及び第２の画面部分３０４および３０６に加えて、第３の画面部分３０７によって提供される追加画面スペースを利用するために、変更され、回転され、および/または、拡張されることができる。
【００２６】
図４Aは、通信デバイス４００の別の実施形態を示す。いくつかの実施形態では、通信デバイス４００及びその要素は、前掲の図に示された通信デバイス１００及び３００に関して上述したいくつかの属性を有することができる。上述の通信デバイスと同様に、通信デバイス４００は、ハウジング４０２、第１の表示画面部分４０４を含み、任意のアクチュエータ４０８を含むことができる。通信デバイス４００は、さらに、エッジ部分４１２を含む。エッジ部分４１２は、ハウジング４０２の他の外部部分を構成するのと同じ材料であってもなくてもよい、金属材料、ゴム材料、または他の材料から構成することができる。エッジ部分４１２は、ハウジング402内に収容されている通信デバイス４００の第１の画面部分４０４と、他の表示画面部分と、他の要素とを、デバイスが誤って落とされた場合の水からの損傷または他の損傷から保護する役割を果たす。
【００２７】
図４Bは、第２の表示画面部分４０６がハウジング４０２から引き出された通信デバイス４００を示している。第２の画面部分４０６は、エッジ部分４１２に取り付けられている。図４Aに示すような後退モードでは、第２の画面部分４０６は、ハウジング４０２内に収容されている。少なくとも一つの実施形態では、アクチュエータ４０８は、エッジ部分４１２を取り出すために、ユーザによって作動させられることができる。ユーザはエッジ部分４１２をつかみ、それが完全に引き出されるまで、第２の画面部分４０６を引き出すことができる。上述したように、完全に拡張される前は、第２の画面部分４０６は、第
１の画面部分の下方に配置されるだろう。しかし、第２の画面部分４０６が完全に引き出されると、エッジ部分４１２の反対側にある第２の画面部分４０６の内部エッジが、増加されたサイズおよび解像度を持つ単一のディスプレイスクリーンを提供するために、第１の画面部分４０４の隣接するエッジ部分に当接するように、第２の画面部分４０６は、第１の画面部分４０４と同一平面に移動するだろう。
【００２８】
図４Cは、通信デバイス４００の実施形態を示している。図４Aおよび図４Bに関連して上述した要素に加えて、図４Cはさらに、拡張された表示モードのためにハウジング４０２から延長する、または、携帯モードのためにハウジング４０２内に後退することができる任意の第３の画面部分４０７を含む。第２及び第３の両方の画面部分４０６及び４０７が後退位置に配置されている場合、どちらか一方は、第１の画面部分４０４の下のハウジング内に配置され、残りの画面部分が他の二つの下方に配置されてもよい。第３の画面部分４０７は、いくつかの実施形態では、アクチュエータ、または、他の手段によって取り出され得るエッジ部分４１２と同様に、第２のエッジ部分４１３に取り付けられる。少なくとも一つの実施形態において、第２のエッジ部分４１３、および/または、第１のエッジ部分４１２は、アクチュエータまたは他の取り出し機構のいずれかを作動させずに、ハウジング４０２から取り出されてもよいが、単にユーザによって加えられる圧力に比例する量だけ取り出されることができる。例示的実施形態では、第２のエッジ部分４１３は、完全に後退した位置へと後退し、携帯モードに置かれたとき、"クリック"されて、設計に応じて、ハウジング４０２内の若干のばね装填押し出し、または任意の他の機構によって、特定の場所に押し込まれてもよい。しかしながら、このような実施形態では、ユーザは、特定の位置 "へのクリック"を提供する機構を抑え、ハウジング４０２から第２エッジ部分４１３と対応する第３の画面部分４０７を引き出すために軽微な力を加えるだろう。
【００２９】
図３に記載の通信デバイスと同様に、第３の画面部分４０７が完全にハウジング４０２から引き出された場合には、相応に増加した解像度で、大きく、平面の表示面を提供するために、第１及び第２画面部分４０４、４０６と平坦な表面を形成するように、第３の画面部分４０７を第１の画面部分４０４の平面に移動してもよい。図３と同様に、引き出された画面部分によって提供される、新たに利用可能な画面解像度を利用するために、表示装置上に提示される１以上のグラフィク表示やイメージを拡大、配向および/または回転することができる。
【００３０】
図５Aは、拡張可能な表示画面を備える通信デバイス５００の別の実施形態を示している。通信デバイス５００は、通信デバイス５００のグラフィックプロセッサによって提供されるグラフィック表示を提供する第１の表示画面部分５０４を含む。通信デバイス５００はまた、少なくとも１つの実施形態では、以下に説明するように、装置の電子部品と、完全にまたは部分的に、通信デバイス５００の表示画面を拡張するように動作することができる、任意のアクチュエータ５０８を収容するハウジング５０２を含む。ハウジング５０２は、画面５０４を保護するエッジ部分を含んでもよい。
【００３１】
図５Bは、ディスプレイの展開が開始された通信デバイス５００を示している。第２の画面部分がハウジング５０２の内部から引き出されることができる図１A―図４Cに示されているデバイスとは異なり、通信デバイス５００において、最外部画面部分、この場合、第１の画面部分５０４は、第２の画面部分５０６を出すために、通信デバイス５００から外側に展開されてもよい。第１の画面部分５０４は、第１及び第２の画面部分５０４と５０６の間の境界を形成する軸に沿って展開され、その後に再び折り畳まれることができる。一実施形態では、本明細書に記載の折り畳み機構は、ディスプレイを拡大及び縮小するように画面部分を折り曲げたり広げるための軸を形成するスクリーン材料の単一のシートにおいて、１つ以上の溝、波形または折り目を提供することによって収容されてもよい。
【００３２】
一実施形態では、ユーザは、展開され得るように、フロントスクリーン部分を解放するために任意のアクチュエータ５０８を作動させることができる。他の実施形態は、展開するために、第１の画面部分のロックを解除するための他のメカニズム、例えば、スイッチ、フック、タブなどを含むことができる。さらなる例示的な実施形態では、フロントスクリーン部分は、ハウジング５０２に設けられた僅かな突出部、又はボールベアリング上の所定の位置に "クリック"されてもよい。ユーザは、画面部分のロックを解除し、展開するために、アクチュエータを係合し、あるいは、画面部分または画面部分に取り付けられた僅かに突出している部材のエッジをつかむことができる。少なくとも一つの実施形態では、ロック解除またはアクチュエータが不要であり、第１の画面部分５０４は、単にユーザによって展開され得る。
【００３３】
図５Cは、第１の画面部分５０４が折りたたまれておらず、さらに展開された、通信デバイス５００を示す図である。図５Dは、第１および第２の画面部分５０４と５０６が同一平面上にあり、大きなサイズで、また、少なくとも一つの実施形態では、二倍の解像度で、単一の表示画面を形成するような、第１の画面部分５０４の完全な展開状態を示す。なお、図５A−図５D、図６A−図６Cおよび図７A-図７Bに示されるように構成された通信デバイス５００の実施形態においては、第１の画面部分５０４（または、図６A-６Cおよび７A-７Bの場合は、それの類似体６０４および７０４）は、画面部分が縮小または拡大（すなわち、外に展開される）モードであるかどうかに応じて、画面部分の両面に、グラフィク表示を提供可能とする。図５Aおよび図５Bを、図５Dと比較すると、これがわかる。図５Aに示すように、通信デバイス５００は、携帯モードにあるとき、すなわち、第１の画面部分５０４が折り畳まれ、第２の画面部分５０６を覆っている場合、第１の画面部分５０４の外側に見える対向面は、ディスプレイを提供する。いくつかの実施形態では、図５Bに示すように、第１の画面部分５０４が展開されると、画面部分が同一面上にグラフィック表示を提供し続けることもでき、必要に応じて、グラフィカルな出力が無効にされるか、または、反対面か、展開時の画面部分５０６に伝達される。しかし、図５Dに示すように、第１の画面部分５０４が完全に展開されると、その画面部分の反対側の面は外向き面となり、アクティブになる。第１の画面部分５０４のこの面は、第２の画面部分５０６と連動して、ユーザのためのグラフィック表示を提供する。
【００３４】
したがって、図５A-５Dで示す実施形態では、第１の画面部分５０４は、両面にグラフィック出力を提供するために有効化され、画面部分が、折り畳み（縮小）モードと展開（拡大）モードとの両方で動作可能である。この二面性は、様々な表示画面技術を用いて達成することができる。一実施形態では、第１の画面部分５０４を含むパネルは、２つの別個のLCDまたはLEDパネルを、それぞれの面に１つ含むことができる。このような実施形態では、第１の表示パネルは、図５Aに示すように、通信デバイス５００が折り畳まれ（すなわち、携帯）モードにあるときに、ユーザに向けて外向きに面していて、通信デバイス５００からのグラフィカル出力を提供する。次に、図５Dに示すように、両方の画面部分５０４および５０６を含む拡大された表示画面を提供するために、第１の画面部分が展開されたとき、第１の画面部分５０４の反対対向の第２のLCDパネルは、拡大された構成でグラフィック表示をユーザに提供するために、有効にされたり、画面部分５０４の他方の面に表示を提供するように動作可能である。
【００３５】
様々な実施形態では、２つの別個のLCDまたはLEDパネルを利用した以外の他の技術を、第１の画面部分５０４の両面にディスプレイを提供するために使用することができる。少なくとも一つの実施形態では、両側に表示を提供する単一の表示パネルが、第１の画面部分５０４に利用される。このような表示パネルの一例としての実施形態は、有機発光ダイオード（OLED）技術を組み込んだパネルを含む。
【００３６】
有機発光ダイオード（OLED）ディスプレイは、材料またはフィルムの薄いシートで、バ
ックライトなしに、提供されるべき表示を可能にするディスプレイ技術の最近の世代である。OLEDは、典型的には、電流に応じて発光する有機化合物の膜を含む発光エレクトロルミネセント層から成る。OLEDの発光エレクトロルミネセント層を構成する材料が層を流れる電流を提供する２つの電極の間に配置されると、層内の有機材料が発光する。種々の発光材料、及び/あるいは、着色された部分は、従来のLEDベースのディスプレイ、LCD、または他のディスプレイと同様に、グラフィック出力を提示することができるカラーディスプレイを作成するために、層内に配置することができる。OLED自体が発光するため、いくつかの構成では、OLEDはバックライトなしに使用することができる。この特徴は、半透明またはほとんど透明であるOLEDを作成するために、他の透明または半透明スクリーン層と一緒に、透明または半透明の発光材料、及び/又は、電極と組み合わせることができる。それらはポリマーから製造され得ることを考えると、OLEDは依然として表示機能を提供しながら、曲げ可能な、さらに折り畳み可能であるように設計されてもよい。OLEDは、折り畳み可能なように製造することができるので、例えば、図５A−５D、図６A−６Cおよび図７A−７Bに示されるような折り畳みを含む実施形態に良く適している。OLED技術は、他のディスプレイ技術と競合する解像度と、OLEDの利点とを持ちながら完全に機能するディスプレイを提供するために使用され得るレベルに達している。
【００３７】
図６A−６Cは、通信デバイス５００にいくつかの類似点がある通信デバイス６００の実施形態を示す。通信デバイス６００は、ハウジング６０２および任意のアクチュエータ６０８を含む。図６A−６Cに示されている通信デバイス６００の実施形態は、OLEDディスプレイパネルを含む第１の表示画面部分６０４を含む。タッチスクリーン層のような、他の材料の層を、ディスプレイスクリーンパネルを形成するために、１以上のOLED層に添加してもよい。図６Bに示されるように、第１の画面部分６０４のOLEDディスプレイパネルが画面を拡大するために展開される場合には、図５A-５Dに関連して上述したことと同様に、表示パネル上に描かれるグラフィク表示が、表示パネルの他方の面で可視であり続ける。図６Bの例では、画像は、ユーザの観点から、画像が反対側の面から表示されていることを考えると、反転している（すなわち、鏡像の）ように見える。これは、第１の画面部分６０４が、材料の透明または半透明のシートに作成することができるOLEDで構成されていることの結果である。したがって、OLEDを利用する実施形態では、第１の画面部分６０４の両面にグラフィック表示を提供するように、単一のOLEDディスプレイ画面を利用することができる。
【００３８】
グラフィック表示の非鏡面映像の表示をユーザに提供するために、通信デバイス６００のハードウェアおよび/またはソフトウェアは、第１の画面部分６０４が完全にまたは部分的に開かれた（すなわち、展開された）ときを検出する。これを検出すると、OLEDディスプレイに表示される画像は、現在第１の画面部分６０４の反対側の面を見ている、通信デバイス６００に対するユーザの視点から適切に見ることができるように、反転される。図６Cに示され、他の実施形態で説明した上記と同様に、反転されることに加えて、画像は、第１の画面部分６０４及び第２の画面部分６０６の両方を含む拡大表示によって提供される解像度や画面スペースを有効に活用して拡大図を提示するために、拡大および/または回転されてもよい。いくつかの実施形態では、図６Bおよび図６Cの第２の画面部分６０６は、OLED材料から構成され得るか、または、他のディスプレイ技術（例えば、LCD）材料で構成されてもよい。少なくとも一つの実施形態では、第１及び第２画面部分６０４および６０６は、OLED表示画面材料の単一のシートから構成されてもよい。
【００３９】
図７Aおよび図７Bに示すように、通信デバイス７００の少なくとも1つの実施形態は、第１のパネル７０４及び第２のパネル７０６に加えて、第３のパネル７０７を有していてもよい。パネルは、ハウジング７０２によって収容される。通信デバイスが、携帯モード（図７A又は７Bに示されていない）にあるとき、第１のパネル７０４と第３のパネル７０７の両方が内側に折り畳まれる。第３のパネル７０７は、第２の（中央）パネル７０６の
上に直接折り畳むことができ、第１のパネル７０４が最も外方のパネルなるように第３パネル７０７の上に折り畳まれてもよい。このような構成では、最も外側のパネルである第１のパネル７０４のみ、ユーザに見えるだろう。第１のパネル７０４の外側に面する面は、ユーザにグラフィク表示を提供する。いくつかの実施形態では、構成を切り替えることができ、その結果、第３のパネル７０７は最外側のパネルであり、携帯モードの表示を提供する。少なくとも一つの実施形態では、デバイスは、第１及び第３のパネルのいずれが外向きであるかを検出し、その上に表示を提供するように構成されている。
【００４０】
図７Aに示すように、第１のパネル７０４と第３のパネル７０７は、大幅に拡大されたディスプレイを提供するために、展開することができる。図７Bは、展開された画面スペースと解像度を持つ単一の、拡大ディスプレイを提供するために、第１、第２及び第３の表示画面部分（７０４、７０６および７０７）の各々にわたってディスプレイが提供された通信デバイス７００を示す。通信デバイス７００に示される画面は、図６A−図６Cに関連して説明したOLEDスクリーン、あるいは、上述したように、例えば、LCDなどの、他のタイプの画面であってもよい。
【００４１】
図５A−５D、図６A−図６Cおよび図７A-７Bにおいて、図示された様々な画面部分が単一のディスプレイパネルシートから構成されてもよいし、各画面部分は、１以上の他の画面部分に取り付けられた、個々の表示パネルシートであってもよい。ディスプレイパネルシートは、ディスプレイ材料の層（例えば、LCD、LED、またはOLED素子の一つ以上のシートなど）、タッチスクリーン機能を容易にする材料の層、バックライトの材料の層、保護層などを含む様々な材料の層で構成することができる。１以上の層は透明または半透明であってもよい。
【００４２】
図８は、携帯通信デバイス８００の実施形態を示す。通信デバイス８００は、完全にまたは部分的に本明細書に記載の任意の通信デバイス（例えば、１００、３００、４００、５００、６００及び７００）を表すことができる。通信デバイス８００が、デバイスからデータを受信および送信するために通信する、通信ネットワークを参照して通信デバイス８００を、説明する。携帯通信デバイス８００は、ハウジング８０２、アンテナ８０４、通信インタフェース８０６、ユーザ入力インタフェース８０８、マイク８１０、スピーカ８１２、制御ロジック８１４、メモリ８１６、電池８１８、グラフィックプロセッサ８２０を含み、そして上述した様々な実施形態の表示画面および/または画面部分と同様な１以上のディスプレイスクリーン８２２を含んでいる。これらの各コンポーネントは、以下でより詳細に説明する。図８は、通信デバイス８００の実施形態の図であり、そのコンポーネントはハードウェア、またはソフトウェアとして、機能的または論理的のいずれかで実装することができ、図８に示す例示的実施形態で示されているものを越えて、合併ユニットに統合または複数のユニットに分離され得ることが理解される。さらに、通信デバイス８００は、図８に示されたもの以外の追加の成分を含んでもよい。エンターテイメントデバイス８００の様々な構成要素は、１以上のバスまたは接続を介して接続されるものとして示されている。図８に示されている接続は、単なる例示であり、エンタテインメントデバイス８００のコンポーネントは、任意の数のバスまたは他の接続を使用して、いくつかの構成要素のいずれかに接続することができる。
【００４３】
ハウジング８０２は、図示された種々の構成要素を収容するように構成されている。１以上の表示スクリーン８２２はハウジングに結合され、その表面に配置されてもよい。上述したように、１以上のスクリーン部分は、縮小モードでは、ハウジング８０２内に収容され、拡大表示モードでは、そこから展開することができる。ハウジング８０２は、１以上の画面部分の展開を容易にする１以上のローラ、ベアリングおよび/または、トラックなどの追加の機械要素を含むことができる。また、画面の支持構造が設けられる。また、ハウジング８０２は、１以上のアクチュエータ（図８に示されていないが、前の図に示さ
れている）、あるいは、１以上の展開可能な画面部分の部分的あるいは完全な展開を容易にする他のユーザ入力メカニズム（機械的または電子的）に結合することができる。ハウジング８０２の構成の寸法及びその構造は、所望の設計基準に応じて変化し得ることが理解されるであろう。
【００４４】
アンテナ８０４は、ハウジング８０２のエッジ内に又は沿って配置されている。アンテナは、通信デバイス８００と１以上の通信ネットワークとの間の通信を提供するために、複数の異なるタイプの無線通信信号の一つ以上を送受信するように構成することができる。例えば、アンテナは、無線LAN又はWANなどの無線データネットワーク、セルラーネットワークとの通信を提供する、または、そうでなければ様々な無線プロトコルなどを介して他の装置との通信を提供するように構成され得る。異なるタイプのネットワークと通信するための複数のアンテナ、又は、様々な種類のネットワークの信号を送信及び受信するように構成された単一のアンテナがあるだろう。アンテナ８０４に結合された通信インタフェース８０６は、アンテナ８０４を介して、１以上の通信ネットワークと通信するように構成された無線トランシーバの任意のタイプを含み得る。通信インタフェース８０６は、所望の設計基準に応じて、無線通信プロトコルの任意のタイプを利用することができる。
【００４５】
ユーザ入力インタフェース８０８は、ハウジング８０２の表面に沿って配置されている。ユーザ入力インタフェース８０８は、ユーザからユーザ入力を受け取るように構成されている。少なくとも一つの実施形態では、ユーザ入力インタフェース８０８は、ユーザ入力を受け取るように構成された、１以上のボタンやキーを有している。ユーザ入力インタフェース８０８は、トラックボール、ロッカスイッチ、タッチパッド、タッチスクリーンなどを含むマンマシンインターフェースの他のタイプを含むことができる。少なくとも一つの実施形態では、入力インタフェース８０８は、ユーザからの音声入力を受け取るように構成されている。少なくとも一つの実施形態では、ユーザ入力インタフェース８０８は、本明細書に記載の１以上の画面部分と一体化されたタッチスクリーンパネルからユーザ入力を受け取る。
【００４６】
マイク８１０は、ユーザから音声データを受け取るように構成されている。スピーカ８１２は、ユーザに音声データを出力するように構成されている。マイク８１０及びスピーカ８１２は、ハウジング８０２の表面内、または、その上の適切な位置に配置することができる。マイク８１０および/またはスピーカ８１２は、いくつかの実施形態では任意のものである。いくつかの実施形態は、例えば、カメラ装置などの追加のユーザ入力デバイスを組み込むことができる。
【００４７】
制御ロジック８１４は、通信デバイス８００の動作を制御するように動作可能である。制御ロジック８１４は、単一の処理装置、又は、協働して通信デバイス８００の動作を制御するように動作する複数の処理装置であってもよい。少なくとも一つの実施形態において、制御ロジック８１４は、電話通信、および/または、通信デバイス８００と１以上の通信ネットワークおよび/またはリモートデバイスとの間のデータ操作を制御するように動作可能である。少なくとも一つの実施形態において、制御ロジック８１４は、通信デバイス８００の機能を提供及び/又は強化するアプリケーションおよび/または他のプロセッサを実行することができる。制御ロジックは、格納されたプログラム、ファイルのストアとリコールを実行し、装置の処理能力を提供するために、揮発性および/または不揮発性メモリであるメモリ８１６と連携して動作する。
【００４８】
通信デバイス８００は、バッテリ、および/または、外部の電流ソースとの接続を提供する、および/または、容易にする動力源である電源８１８を含む。
【００４９】
通信デバイス８００は、制御ロジック８１４、メモリ８１６、および/または、通信デ
バイス８００の他の要素から提供されるデータを表示画面８２２へフォーマットし、提供するように動作可能であることができるグラフィックプロセッサ８２０を含む。上記により詳細に記載された実施形態によれば、グラフィックプロセッサ８２０は、展開されたり、後退されている１以上の画面部分をもとにして、グラフィック表示の解像度、サイズ、および/または向きを調整するように動作可能である。例えば、２つの画面部分が存在するシステムにおいて、グラフィックプロセッサ８２０は、第２の画面部分が後退するとき、第１の画面部分にグラフィック表示を提示することができる。第２の画面部分が展開されている場合は、グラフィックプロセッサ８２０は、第１の画面部分と第２の画面部分の組み合わせによって提供される、より大きな画面スペースを有効に活用するために、グラフィク表示の割合および/または向きを調整することができる。例えば、図５および図７に示されるような、１以上の画面部分を後退させるために折り畳むことができる実施形態では、グラフィックプロセッサ８２０は、画面部分の対向する表面上に設けられた画面間でプレゼンテーションを切り替えることができる。画面部分の両面に表示を提供する（上述のようにして、図６A−図６Cに示されている）単一のOLED画面を利用する実施形態において、グラフィックプロセッサ８２０は、画面部分が直面している方向に基づいて、画像の向きを切り替えることができる。例えば、グラフィックプロセッサは、図７Aに示すように、画面部分が内側に折り畳まれ、画面の第１の面を見る事ができるときには、第１の向きで画像を表示し、図７Cに示すように、画面部分が展開されるときには、第２の向きに、画像を反転及び/又は調整することができる。いくつかの実施形態において、グラフィックプロセッサ８２０は、１以上の画面部分が展開又は後退されているかどうかに基づいて、表示部分のいずれをアクティブまたは非アクティブにするか調整してもよい。画面部分の展開又は後退は、所望の設計基準に従って実装することができる、１以上の機械的または電気的検出装置（例えば、スイッチ）によって検出することができる。
【００５０】
図９は、通信デバイス上にグラフィク出力を表示するための方法を示すフローチャートを示す。まず、通信デバイスは、第１の表示構成内に配置されていることが検出される（オペレーション９０１）。第１の表示構成で、通信デバイスの第１の画面部分は、通信デバイスの第２の画面部分上に折り畳まれている。通信デバイスのグラフィックプロセッサからのグラフィック出力が、第１の画面部分の第１の面に表示される（オペレーション９０２）。上述したように、通信デバイスが第１の表示構成にあるとき、第１の画面部分の第２の面は、第２の画面部分の表面に向かって内側に直面するだろう。続いて、通信デバイスは、第１の画面部分が第２の部分と単一の表示画面を形成するために、第２の画面部分に対して展開されている第２の表示構成に配置されていることを検出することができる、（オペレーション９０３）。この展開状態では、第１の面の反対側にある第１の画面部分の第２の面は、単一の表示画面を形成するために、第２の画面部分の面と同一平面上にあり、そして、同じ方向を向いている。第２のグラフィック出力の第１の部分は、第１の画面部分の第２の面に表示される（オペレーション９０４）。第２のグラフィック出力の第２の部分が、第２のグラフィック出力が単一の結合表示画面に表示されるように、第２の画面部分の表面に表示される（オペレーション９０５）。
【００５１】
上述したように、第１の画面部分は、第１の画面部分の第１及び第２の面の両方で見ることができる表示を提供する単一の表示デバイスを含むことができる。いくつかの実施形態では、この単一の表示装置は、OLED表示を提供する透明または半透明の材料のシートとすることができる。図９に示される方法のいくつかの実施形態では、グラフィックプロセッサからの第１のグラフィック出力は、通信デバイスが第１の表示構成にある場合、第1の画面部分によって第１の向きで表示することができる。そのような実施形態では、第１の画面部分が第２の（拡張）ディスプレイ構成を提供するために展開されたとき、第１の画面部分の第１の配向は、画面部分の反対側の面を現在見る事ができるので、グラフィックプロセッサによって反転されることができる。これにより、グラフィック出力の鏡面画像を表示しないようにするために、拡張された表示構成における第２のグラフィック出力
の第１の部分を正しく表示するために、グラフィックの配向を、水平方向に反転させてもよい。
【００５２】
図９に示されるプロセスでは、第２のグラフィック出力の解像度が、デバイスの拡張されたディスプレイ構成に配置されたとき、単一の表示画面への第１の画面部分と第２の画面部分の組み合わせによって提供される追加の画面領域を利用するために、第２のグラフィック出力の解像度を第１のグラフィック出力に対して増大させることができる。また、グラフィック出力は、新たに利用可能な画面スペースと解像度を最高に利用するために、回転させることができる。
【００５３】
特定の実施形態を本明細書で説明したが、本発明の範囲はこれら特定の実施形態に限定されるものではない。本発明の範囲は以下の特許請求の範囲、および、その任意の均等物によって定義される。
【００５４】
上述の様々な実施形態は、さらなる実施形態を提供するために組み合わせることができる。本明細書および/または出願データシートに記載されている、米国特許、米国特許出願公開、米国特許出願、外国特許、外国特許出願および非特許刊行物のすべては、その全体が、参照により本明細書に組み込まれる。必要に応じて、実施形態の態様は、さらなる実施形態を提供するために、様々な特許、出願及び刊行物の概念を採用することにより、修正することができる。
【００５５】
これらおよび他の変更を、上記の詳細な説明に照らして実施形態に対して行うことができる。一般的には、以下の特許請求の範囲において、使用される用語は、明細書及び特許請求の範囲に開示された特定の実施形態に特許請求の範囲を限定するものと解釈されるべきではなく、そのような特許請求の範囲が受けるべき均等物の全範囲と共に、全ての可能な実施形態を含むと解釈されるべきである。従って、特許請求の範囲は本開示によって限定されない。
【図１Ａ】
0005740527.tif 000002
【図１Ｂ】
0005740527.tif 000003
【図１Ｃ】
0005740527.tif 000004
【図１Ｄ】
0005740527.tif 000005
【図２Ａ】
0005740527.tif 000006
【図２Ｂ】
0005740527.tif 000007
【図２Ｃ】
0005740527.tif 000008
【図３】
0005740527.tif 000009
【図４Ａ】
0005740527.tif 000010
【図４Ｂ】
0005740527.tif 000011
【図４Ｃ】
0005740527.tif 000012
【図５Ａ】
0005740527.tif 000013
【図５Ｂ】
0005740527.tif 000014
【図５Ｃ】
0005740527.tif 000015
【図５Ｄ】
0005740527.tif 000016
【図６Ａ】
0005740527.tif 000017
【図６Ｂ】
0005740527.tif 000018
【図６Ｃ】
0005740527.tif 000019
【図７Ａ】
0005740527.tif 000020
【図７Ｂ】
0005740527.tif 000021
【図８】
0005740527.tif 000022
【図９】
0005740527.tif 000023